(57)【要約】【課題】ユーザによるサービス情報の利用頻度を向上させる。【解決手段】検索対象となる所定の情報群から施設等のサービス情報を検索する情報検索装置１００が、写真等の画像と当該画像が撮影された場所を示す撮影場所情報とが対応付けされた画像情報を記憶する画像情報記憶部２４を備え、画像情報に基づいて、ユーザの行動履歴を解析し（ステップＳ１０５）、解析した行動履歴に応じてサービス情報を検索し（例えば、ステップＳ２０５）、検索結果を表示する（例えば、ステップＳ２０６）。【選択図】図７
2014115881.tif 000002
【特許請求の範囲】
【請求項１】
検索対象となる所定の情報群から施設等のサービス情報を検索する情報検索装置であって、
写真等の画像と当該画像が撮影された場所を示す撮影場所情報とが対応付けされた画像情報を記憶する画像情報記憶手段と、
前記画像情報に基づいて、ユーザの行動履歴を解析する行動履歴解析手段と、
該行動履歴解析手段によって解析された行動履歴に応じて、前記サービス情報を検索するサービス情報検索手段と、
該サービス情報検索手段による検索結果を表示する検索結果表示手段とを含む
ことを特徴とする情報検索装置。
【請求項２】
前記画像情報は、前記ユーザにより入力されたコメントを含む
請求項１記載の情報検索装置。
【請求項３】
画像を撮影するカメラ装置を備え、
該カメラ装置により撮影された画像に前記撮影場所情報を含む付加情報を対応付けして前記画像情報記憶手段に保存する画像情報保存手段とを含む
請求項１または請求項２記載の情報検索装置。
【請求項４】
前記検索結果表示手段によって表示された検索結果に含まれるサービス情報の選択を受け付けるサービス情報選択受付手段と、
該サービス情報選択受付手段によって選択が受け付けられたサービス情報を案内対象物として出発地点からの推奨移動経路を探索する経路探索手段と、
該経路探索手段によって探索された推奨移動経路を用いて経路案内を行う経路案内手段とを含む
請求項１から請求項３のうち何れかに記載の情報検索装置。
【請求項５】
検索対象となる所定の情報群から施設等のサービス情報を検索するように情報検索装置に動作制御させるための情報検索プログラムであって、
前記情報検索装置に、
写真等の画像と当該画像が撮影された場所を示す撮影場所情報とが対応付けされた画像情報を記憶する画像情報記憶手段に記憶された画像情報に基づいて、ユーザの行動履歴を解析する行動履歴解析処理と、
該行動履歴解析処理にて解析した行動履歴に応じて、前記サービス情報を検索するサービス情報検索処理と、
該サービス情報検索処理による検索結果を表示する検索結果表示処理とを
実行させるための情報検索プログラム。
【発明の詳細な説明】
【技術分野】
【０００１】
本発明は、検索対象となる所定の情報群から施設等のサービス情報を検索する情報検索装置、および情報検索装置に動作制御させるための情報検索プログラムに関する。
【背景技術】
【０００２】
従来から、ガソリンスタントやコンビニエンスストア、ラーメン店、ホテル・旅館といった店舗情報や、有名な施設情報、行楽地情報など、施設や場所に関連する各種情報（以下、「サービス情報」という。）を探し出し、その情報を表示する情報検索装置が知られている。また、この情報検索装置機能を備え、電子地図と共にその情報を表示するナビゲーション端末も知られている。
【０００３】
このような情報検索装置には、例えば、ユーザが未訪問の場所を検索し、経路探索の目的地に設定するものもある（特許文献１参照）。
【先行技術文献】
【特許文献】
【０００４】
【特許文献１】特開２００２−１３９３３２号公報
【発明の概要】
【発明が解決しようとする課題】
【０００５】
しかしながら、未訪問の場所を地図上に示し、その場所に関連するサービス情報を提供するだけでは、ユーザがその場所を認識することが困難であり、その結果サービス情報を利用するという意欲を減退させてしまう場合があった。すなわち、未訪問の場所に関して、例えば雑誌に掲載された情報（雑誌掲載情報）をサービス情報として検索してユーザに提供する場合に、ユーザが未訪問の場所に関する知識がない場合、雑誌掲載情報の閲覧を行わない可能性があるため、高品質のサービス情報を準備しても、ユーザの目に触れない場合があるという課題があった。
【０００６】
本発明は、上述した問題を解決すべく、ユーザによるサービス情報の利用頻度を高めることができるようにすることを目的とする。
【課題を解決するための手段】
【０００７】
本発明の情報検索装置は、検索対象となる所定の情報群から施設等のサービス情報を検索する情報検索装置であって、写真等の画像と当該画像が撮影された場所を示す撮影場所情報とが対応付けされた画像情報を記憶する画像情報記憶手段と、前記画像情報に基づいて、ユーザの行動履歴を解析する行動履歴解析手段と、該行動履歴解析手段によって解析された行動履歴に応じて、前記サービス情報を検索するサービス情報検索手段と、該サービス情報検索手段による検索結果を表示する検索結果表示手段とを含むことを特徴とする。
【０００８】
上記の構成としたことで、ユーザによるサービス情報の利用頻度を高めることができるようになる。
【０００９】
前記画像情報は、前記ユーザにより入力されたコメントを含む構成とされていてもよい。
【００１０】
画像を撮影するカメラ装置を備え、該カメラ装置により撮影された画像に前記撮影場所情報を含む付加情報を対応付けして前記画像情報記憶手段に保存する画像情報保存手段とを含む構成とされていてもよい。
【００１１】
前記検索結果表示手段によって表示された検索結果に含まれるサービス情報の選択を受け付けるサービス情報選択受付手段と、該サービス情報選択受付手段によって選択が受け付けられたサービス情報を案内対象物として出発地点からの推奨移動経路を探索する経路探索手段と、該経路探索手段によって探索された推奨移動経路を用いて経路案内を行う経路案内手段とを含む構成とされていてもよい。
【００１２】
また、本発明の情報検索プログラムは、検索対象となる所定の情報群から施設等のサービス情報を検索するように情報検索装置に動作制御させるための情報検索プログラムであって、前記情報検索装置に、写真等の画像と当該画像が撮影された場所を示す撮影場所情報とが対応付けされた画像情報を記憶する画像情報記憶手段に記憶された画像情報に基づいて、ユーザの行動履歴を解析する行動履歴解析処理と、該行動履歴解析処理にて解析した行動履歴に応じて、前記サービス情報を検索するサービス情報検索処理と、該サービス情報検索処理による検索結果を表示する検索結果表示処理とを実行させるためのものである。
【発明の効果】
【００１３】
本発明によれば、ユーザによるサービス情報の利用頻度を高めることができるようになる。
【図面の簡単な説明】
【００１４】
【図１】情報検索装置の構成の例を示すブロック図である。
【図２】制御部と記憶部の構成の例を説明するための説明図である。
【図３】サービス情報の格納状態の例を示す説明図である。
【図４】画像情報の格納状態の例を示す説明図である。
【図５】行動履歴情報の格納状態の例を示す説明図である。
【図６】情報検索装置１００の機能イメージについて説明するための説明図である。
【図７】行動履歴解析処理の例を示すフローチャートである。
【図８】アルバム表示処理の例を示すフローチャートである。
【図９】メニュー画面の例を示す説明図である。
【図１０】検索結果表示画面の例を示す説明図である。
【図１１】アルバム表示画面の例を示す説明図である。
【発明を実施するための形態】
【００１５】
以下、本発明の一実施の形態について図面を参照して説明する。
【００１６】
図１は、本発明の一実施の形態に係る情報検索装置１００の構成の例を示すブロック図である。情報検索装置１００は、例えば、モバイルタイプのパーソナルコンピュータ、ＰＮＤ（Portable
Navigation Device）や専用デバイスなどの情報処理装置によって構成されるものである。以下、情報検索装置１００が、ユーザにより携帯される場合（すなわち、携帯型の情報検索装置）である場合について説明する。
【００１７】
図１に示すように、情報検索装置１００は、制御部１０と、記憶部２０と、メモリ３０と、出力部４０と、センサ部５０と、通信部６０と、入力部７０と、画像取得部８０を含む。なお、図示しないが、情報検索装置１００は、ＣＰＵ（中央処理装置）、プログラム記憶部、ＯＳ（オペレーティング・システム）等、一般的な情報検索装置としての機能を発揮するための構成を有する。
【００１８】
制御部１０は、例えばＣＰＵにより構成され、記憶部２０に記憶されたコンピュータプログラム（情報検索装置１００に動作制御させるためのコンピュータプログラムであり、情報検索プログラムを含む。）に従い、情報検索装置１００を構成する各要素を統括制御し、検索条件に応じたサービス情報を検索する情報検索機能を含む各種の処理を実行するための各種の機能を有する。制御部１０の構成については、後で詳しく説明する（図２参照）。
【００１９】
記憶部２０は、ＲＯＭやＲＡＭなどで構成され、情報検索装置１００が使用する各種コンピュータプログラムや、サービス情報など、情報検索装置として必要または有用な各種情報を記憶する記憶媒体である。記憶部２０の構成については、後で詳しく説明する（図２参照）。
【００２０】
メモリ３０は、制御部１０が処理する各種情報を一時的に保持する記憶媒体であり、ＲＡＭなどの半導体記憶装置により構成される。
【００２１】
出力部４０は、各種情報、特に情報検索に関する各種情報をユーザが認識可能な形で出力する機能を備え、例えば画像情報を表示する画像表示装置（ディスプレイ装置、モニタ）と、音声情報を音声出力する音声出力装置（スピーカ装置）とを含む。
【００２２】
センサ部５０は、情報検索装置１００の現在位置（すなわち、ユーザの現在位置）を測位する機能を備えており、例えば、ＧＰＳ衛星から送られてくるＧＰＳ信号を受信し、このＧＰＳ信号に基づいて位置を測定するＧＰＳセンサや、初期位置から移動量（距離）を計測する速度センサ、進行（移動）方位を計測するジャイロセンサ等からなる。
【００２３】
ＧＰＳセンサは、いわゆるＧＰＳ受信機と称されるものであり、ＧＰＳ衛星から放射されるＧＰＳ信号を受信してＧＰＳ衛星とＧＰＳ受信機自身との距離（疑似距離）を測定し、複数の衛星からのＧＰＳ信号を同時に受信することによりＧＰＳ受信機自身の現在位置（ＧＰＳ測位解）を算出する。
【００２４】
また、センサ部５０は、ＧＰＳ信号を受信するＧＰＳ受信機（アンテナ）の他、受信したＧＰＳ信号のデコード等の処理を行い、制御部１０に通知する機能を有する。
【００２５】
通信部６０は、インターネットなどの通信ネットワークに無線あるいは有線によって接続し、通信ネットワークに接続された管理サーバなどの外部の装置と情報の送受信を行うための機能を有する。
【００２６】
入力部７０は、制御部１０に対する各種指示をユーザから受け付ける機能を有する。本例では、入力部７０は、センサ部５０が検出した各種データ（例えば、方位と傾きを示すデータ）をユーザからの指示として受け付ける。また、入力部７０は、例えば画像表示装置の表示画面上に表示される仮想ボタンや、情報検索装置を構成する筐体に設けられる物理的ボタン（物理ボタン）などを備えていてもよい。
【００２７】
画像取得部８０は、情報検索装置１００に接続されたカメラ装置（図示せず）から写真等の画像を取得する機能を有する。なお、カメラ装置と情報検索装置１００とが１つの筐体に設けられている場合、位置情報等は情報検索装置１００が特定するため、画像取得部８０はカメラ装置から画像を取得するだけでよい。一方、例えば外部装置により撮影された画像（例えば、別個のデジタルカメラにより撮影された写真）を取得する場合、画像取得部８０は、画像と併せて、後述する画像情報記憶部２４に記憶される画像情報を構成する付加情報（例えば、撮影場所情報や撮影日時など）を取得する。なお、付加情報としての取得方法としては、画像を取得する際にユーザに対して付加情報の入力を促す構成としてもよいし、既に付加情報が画像に対応付けされている場合にのみ付加情報を取得する構成としてもよい。以下、情報検索装置１００とカメラ装置とが一体に構成されている場合を例にして説明する。
【００２８】
図２は、本例における制御部１０と記憶部２０の構成の例を説明するための説明図である。図２に示すように、制御部１０は、センサ情報処理部１１と、通信処理部１２と、検索部１３と、行動履歴解析部１４と、検索結果表示部１５と、画像情報保存部１６と、検索結果表示部１７とを含む。
【００２９】
センサ情報処理部１１は、センサ部５０により位置情報や速度情報などのセンサ情報の特定や記憶などを行うための処理を実行する機能を有する。本例においては、情報検索装置１００は、例えばセンサ情報処理部１１により特定した位置情報を後述する道路地図情報と照合することにより、道路地図情報が示す地図上におけるユーザの現在位置を特定する。また、情報検索装置１００は、センサ部５０により検出された各種データから、情報検索装置１００の先端が向いている方位と、情報検索装置１００の傾きとを特定する。
【００３０】
通信処理部１２は、通信部６０により各種情報の送受信を行うための処理を実行する機能を有する。
【００３１】
検索部１３は、後述するサービス情報記憶部２３に記憶されたサービス情報の中から、検索条件に応じたサービス情報を検索する処理を実行する機能を有する。本例においては、検索部１３は、ユーザ行動履歴に応じたサービス情報を検索する処理を行う機能を有する。行動履歴に応じたサービス情報の検索については、後で詳しく説明する。
【００３２】
行動履歴解析部１４は、画像情報に基づいて、ユーザの行動履歴を解析する処理を行う機能を有する。本例においては、行動履歴解析部１４は、後述する画像情報記憶部２４に記憶された画像情報に基づいて、ユーザの行動履歴を解析する。解析された行動履歴を示す行動履歴情報は、後述する行動履歴情報記憶部２５に記憶される。画像情報と行動履歴情報については、後で詳しく説明する。
【００３３】
検索結果表示部１５は、検索部１３による検索結果を表示する処理を行う機能を有する。本例においては、検索結果表示部１５は、サービス情報の少なくとも一部（例えば、雑誌掲載写真や記事など）を表示する。
【００３４】
画像情報保存部１６は、画像取得部８０が取得した画像と、画像に対応付けされる付加情報とを、画像情報として後述する画像情報記憶部２４に保存する処理を行う機能を有する。本例においては、画像情報保存部１６は、写真等の画像と、当該画像が撮影された場所を示す撮影場所情報を含む付加情報とを対応付けて、画像情報記憶部２４に保存する。なお、画像情報保存部１６による画像情報の保存は、所定条件（例えば、新規画像を取得したとき）に自動で実行される構成としてもよいし、ユーザからの指示に応じて実行される構成としてもよい。
【００３５】
記憶部２０は、図２に示すように、道路地図情報記憶部２１と、ＰＯＩ情報記憶部２２と、サービス情報記憶部２３と、画像情報記憶部２４と、行動履歴情報記憶部２５を含む。
【００３６】
道路地図情報記憶部２１は、所定のグリッド（本例においては、一定の緯度幅と緯度幅で区切られた矩形状の範囲）に分割して地図情報を記憶する記憶媒体である。この地図情報は、道路地図情報記憶部２１に記憶されるほか、例えばＳＤメモリカードと呼ばれるリムーバルメディアとしての補助記憶装置や、ＣＤ−ＲＯＭやＤＶＤ−ＲＯＭ等に保存することができる。また、インターネット等の通信ネットワークを介して地図情報をダウンロードするようにしてもよい。また、道路地図情報記憶部２１は、交通規制や道路の構成などを示す道路情報として、道路をノードとリンクで表して管理し、各ノードとリンクに関して経路構成ノード情報と経路構成リンク情報とを記憶する記憶媒体である。すなわち、経路探索部１１は、経路探索処理において必要な情報を道路地図情報記憶部２１から取得することとなる。以下、適宜地図情報と道路情報とを対応付けした情報を「道路地図情報」と呼ぶ。なお、道路地図情報は、地図の縮尺や対応範囲に応じて複数種類存在し、環境設定などに応じて適宜使い分けされる場合があるものとする。
【００３７】
ＰＯＩ情報記憶部２２は、案内対象物を示すＰＯＩ情報を記憶する記憶媒体である。ＰＯＩ情報は、例えば、ＰＯＩを一意に特定するためのＰＯＩ‐ＩＤと、ＰＯＩの名称と、ＰＯＩを示す画像と、ＰＯＩが属するジャンルと、住所と、緯度・経度とを含む。なお、各ＰＯＩ情報は、ＰＯＩ情報としての全ての項目に対応するデータを有している必要はなく、例えば、ＰＯＩ−ＩＤとＰＯＩ名称、および緯度・経度だけを示すＰＯＩ情報が含まれていても良い。
【００３８】
サービス情報記憶部２３は、ユーザに提供するために作成されたサービス情報を記憶する記憶媒体である。
【００３９】
図３は、サービス情報記憶部２３におけるサービス情報の格納状態の例を示す説明図である。図３に示すように、本例におけるサービス情報は、サービス情報を一意に認識するための情報番号と、サービス情報が掲載された雑誌の名称を示す掲載雑誌名称と、掲載写真と、掲載記事と、エリア情報とを含む。なお、サービス情報は、雑誌に掲載された情報（雑誌掲載情報）に限定されず、例えばエリアに対応付けされた広告情報など、ユーザに閲覧されることを目的として作成された情報であって場所（例えば観光地）に関連する情報であればよい。
【００４０】
ここで、エリア情報とは、サービス情報に関連する施設の場所が属するエリアに関する情報である。本例においては、サービス情報毎に、道路地図情報記憶部２１に記憶された道路地図情報が示す地図に設定された複数のエリアのうちの何れかを示す情報がエリア情報として設定されているものとする。
【００４１】
画像情報記憶部２４は、写真等の画像と当該画像が撮影された場所を示す撮影場所情報とが対応付けされた画像情報を記憶する記憶媒体である。
【００４２】
図４は、画像情報記憶部２４における画像情報の格納状態の例を示す説明図である。図４に示すように、本例における画像情報は、画像を一意に認識するための画像番号と、画像（画像データ）と、付加情報とを含む。
【００４３】
ここで、付加情報とは、画像に関連する情報であり、画像と何らかの関係があればよい。本例においては、付加情報として、画像の撮影場所を示す撮影場所情報と、撮影日時と、コメントとが含まれるものとする。なお、コメントは、例えば、任意の時機にユーザにより入力さされた文字列が設定される構成であってもよいし、予め作成された複数のコメント案のうちユーザにより選択されたコメント案が設定される構成であってもよい。なお、コメントの内容は特に限定されないが、被写体を特定可能な文字列、撮影場所に関する情報（例えば、建物の階数や名称）を示す文字列、若しくは被写体または撮影場所に対するユーザの評価を示す文字列など、ユーザの行動履歴をより詳細に特定可能な文字列が含まれていることが好ましい。
【００４４】
行動履歴情報記憶部２５は、ユーザの行動履歴を示す行動履歴情報を記憶する記憶媒体である。本例においては、画像情報に基づいて解析された行動履歴を示す情報が行動履歴情報として記憶される。
【００４５】
図５は、行動履歴情報記憶部２５における行動履歴情報の格納状態の例を示す説明図である。図５に示すように、本例における行動履歴情報は、エリアを一意に特定可能なエリア名称と、エリア内の特定の場所を示すスポット名称と、履歴フラグとを含む。
【００４６】
ここで、履歴フラグとは、ユーザが行ったことがあるか否かを示すフラグである。本例においては、画像情報における撮影場所情報と撮影日時とに基づいて、ユーザが行ったことのあるスポットに対応するフラグのうち、撮影日時に対応する時間帯および季節のフラグが初期値「０」から「１」に変更される。すなわち、図５に示す場合では、ユーザは「エリア１のスポット１に、夏の昼に行ったことがある（具体的には、その場で写真を撮影したことがある）」とみなされている。また、図５に示す場合では、ユーザは「エリアの２のスポット２に対応する位置に、秋の昼と夜に行ったことがある」とみなされている。また、図５に示す場合では、ユーザは「エリア１のスポット３やエリア２のスポット１には行ったことがない」とみなされている。
【００４７】
なお、行動履歴情報の構成はこれに限定されず、例えば、ユーザがスポットに訪れた回数を含む構成など、画像情報に基づいて特定可能な構成であればよい。
【００４８】
次に、本例における情報検索装置１００の機能イメージについて図を参照して説明する。
【００４９】
図６は、情報検索装置１００の機能イメージについて説明するための説明図である。図６に示すように、情報検索処理装置１００は、フォトアルバム（例えば、画像情報記憶部２４）に記憶された画像群（例えば、それぞれ座標が対応付けされた複数の画像）に観光地属性（例えば、エリア情報）を付与し、フォトアルバムを一時的に再構成して再構成画像ＤＢ（例えば、メモリ３０）に保存し、撮影したときに閲覧する活用するだけでなく、例えば「観光地に紐付けたアルバム表示」、「時系列（分類）表示」、「関連観光地の表示」、「観光地またはスポットのストック」など、再活用できるようにする機能を備える。そして、ユーザが蓄積した画像群を再構成して再活用する際に適宜サービス情報を利用することで、サービス情報に対するユーザの関心を得られる確率を向上させることができるようになり、サービス情報の利用頻度を高めることができるようになる。
【００５０】
次に、本例における情報検索装置１００の動作について図を参照して説明する。なお、本発明に特に係わらない処理については、その詳細な説明を省略している場合がある。
【００５１】
図７は、情報検索装置１００が実行する行動履歴解析処理の例を示すフローチャートである。行動履歴解析処理では、ユーザが取得（具体的には、撮影）した画像からユーザの行動履歴を解析するための処理が行われる。
【００５２】
本例における行動履歴解析処理は、例えば、制御部１０が、画像取得部８０から画像を取得した旨の通知を受けたことに応じて開始される。
【００５３】
行動履歴解析処理において、先ず、制御部１０は、画像が撮影された場所を特定する（ステップＳ１０１）。本例においては、制御部１０は、情報検索装置１００に接続されたカメラ装置（図示せず）により画像が撮影されたことに応じて行動履歴解析処理を開始するため、センサ情報処理部１１により特定可能なユーザの現在位置を画像に対応する撮影場所として特定する。
【００５４】
撮影場所を特定すると、制御部１０は、特定した撮影場所に基づいて画像に付加する付加情報を作成する（ステップＳ１０２）。本例においては、制御部１０は、画像を取得した後、付加情報を作成する前の所定の時機に、ユーザによるコメントの入力を受け付け、コメントを受け付けていた場合には、撮影場所情報と撮影日時とに加えて、受け付けたコメントを含む付加情報を作成する。なお、コメントを受け付けていない場合には、制御部１０は、撮影場所情報と撮影日時と含む付加情報を作成する。
【００５５】
付加情報を作成すると、制御部１０は、画像に付加情報を対応付けして画像情報記憶部２４に保存する（ステップＳ１０３）。
【００５６】
画像情報を保存すると、制御部１０は、画像情報に基づいてユーザの行動履歴を解析するか否かを判定する（ステップＳ１０４）。ここで、行動履歴を解析するか否かの判定条件は特に限定されず、ユーザからの指示を受け付けることを判定条件としてもよいし、画像情報の数や日時などを判定条件としてもよい。本例においては、制御部１０が、所定の選択画面（図示せず）を表示してユーザからの指示を受け付ける場合を例にして説明を行う。
【００５７】
ユーザからの指示により行動履歴を解析しないと判定すると（ステップＳ１０４のＮ）、制御部１０は、後述するステップＳ１０６の処理に移行する。一方、ユーザからの指示により行動履歴を解析すると判定すると（ステップＳ１０４のＹ）、制御部１０は、画像情報記憶部２４に記憶された画像情報に基づいて、行動履歴情報記憶部２５に記憶された行動履歴情報を更新する（ステップＳ１０５）。すなわち、制御部１０は、画像情報に対応するエリア、スポット、時期、季節を特定し、履歴フラグを更新する。
【００５８】
なお、本例においては、制御部１０は、画像情報にコメントが含まれる場合、コメントの内容（特に、文字列）から、画像情報に対応するエリアやスポットを特定する。具体的には、制御部１０は、コメントから所定の文字列（キーワード）を抽出し、抽出したキーワードが予め対応付けされたエリアやスポットを、画像情報に対応するエリアやスポットとして特定する。
【００５９】
行動履歴情報を更新すると、制御部１０は、アルバムを表示するか否かを判定する（ステップＳ１０６）。なお、本例において「アルバム」とは、画像情報記憶部２４に記憶された画像情報を所定の形態で表示した画像のことを意味する。
【００６０】
ここで、アルバムを表示しないと判定すると（ステップＳ１０６のＮ）、制御部１０は、ここでの処理を終了する。一方、例えばユーザからの指示を受け付けたことにより、アルバムを表示すると判定すると（ステップＳ１０６のＹ）、制御部１０は、アルバムを表示するための処理であるアルバム表示処理を実行する（ステップＳ２００）。
【００６１】
図８は、情報検索装置１００が実行するアルバム表示処理の例を示すフローチャートである。アルバム表示処理では、画像情報と併せてサービス情報を検索し、所定の形態で表示するための処理が行われる。
【００６２】
アルバム表示処理において、先ず、制御部１０は、所定のメニュー画面を表示する（ステップＳ２０１）。
【００６３】
図９は、メニュー画面の例を示す説明図である。図９に示すように、本例においては、メニュー画面には、ユーザが行ったことがある場所を検索条件とする旨の選択を受け付けると第１ボタン９０１と、ユーザが行ったことがない場所を検索条件とする旨の選択を受け付ける第２ボタン９０２と、紐付けに失敗した場所を検索条件とする旨の選択を受け付ける第３ボタン９０３とが表示される。なお、本例において「紐付けに失敗した」とは、エリアを特定したものの、スポットを特定できなかった場所を意味するものとする。よって、図示しないが、行動履歴情報には紐付けを失敗したことを示す情報（例えば、ユーザがあるエリアに行ったことがあることのみを示し、当該エリアに対応するスポットを特定しない情報）が含まれるものとする。また、メニュー画面には、キーワードの入力を受け付ける領域や、検索結果の表示数の入力を受け付ける領域など、行動履歴に関連しない一般的な検索条件の入力を受け付けるための領域が設けられていてもよい。
【００６４】
メニュー画面を表示すると、制御部１０は、行動履歴に関連する検索条件の選択を受け付けたか否かを判定する（ステップＳ２０２）。ここで、行動履歴に関連する検索条件の選択を受け付けていないと判定すると（ステップＳ２０２のＮ）、制御部１０は、後述するステップＳ２０４の処理に移行する。
【００６５】
一方、例えばユーザによる第１ボタン９０１の選択を受け付けたことにより、行動履歴に関連する検索条件の選択を受け付けたと判定すると（ステップＳ２０２のＹ）、制御部１０は、行動履歴情報記憶部２５に記憶された行動履歴情報を参照して、選択を受け付けた選択条件に対応するエリアを特定する（ステップＳ２０３）。以下、制御部１０が、第１ボタン９０１の選択を受け付けたことにより、ユーザが行ったことがある場所（すなわち、対応する履歴フラグのうち少なくとも１つは「１」が設定されているエリア）を特定する場合を例にして説明する。
【００６６】
エリアを特定すると、制御部１０は、その他の検索条件を特定する（ステップＳ２０４）。なお、その他の検索条件の特定方法は特に限定されず、例えばユーザの現在位置をその他の検索条件として特定する構成としてもよい。また、第１ボタン９０１〜第３ボタン９０３のうち何れかの選択を受け付けた場合に、その他の検索条件を特定することなく、これ以降のステップに進む構成としてもよい。
【００６７】
その他の検索条件を特定すると、制御部１０は、特定した検索条件（すなわち、特定したエリアと、特定したその他の検索条件）に応じたサービス情報を検索する（ステップＳ２０５）。これにより、行動履歴情報を参照してエリアを特定しているので、ユーザの行動履歴に応じたサービス情報が検索されることとなる。
【００６８】
サービス情報を検索すると、制御部１０は、検索結果表示画面を表示する（ステップＳ２０６）。
【００６９】
図１０は、検索結果表示画面の例を示す説明図である。図１０に示すように、本例においては、検索結果表示画面には、少なくともサービス情報の一部が選択可能に表示される。なお、図１０では、複数のサービス情報１００１〜１００５が表示画面の長辺方向に整列されて表示される場合を示しているが、サービス情報の表示形態（すなわち、検索結果表示画面の形態）はこれに限定されず、例えば、ユーザの現在地または特定したエリアを中心とする地図と併せてサービス情報を表示するなど、地図と関連付けされた構成としてもよい。
【００７０】
また、検索結果表示画面に、検索結果に関連する情報を表示する領域が設けられる構成としてもよい。すなわち、例えば検索条件が「ユーザが行ったことのある場所」である場合に、ユーザが行ったことのある場所として「エリア１、スポット１、昼、夏」に対応するサービス情報を表示し、行ったことのない場所として「エリア１、スポット１、昼、春」や「エリア１、スポット３」などに対応するサービス情報を表示する構成としてもよい。記憶部２０に記憶された情報から検索結果に関連する情報をドリルダウン式に検索する構成とすることにより、ユーザに対してより有用なサービス情報を提供することができるようになる。
【００７１】
検索結果表示画面を表示すると、制御部１０は、サービス情報の選択を受け付けたか否かを判定する（ステップＳ２０７）。ここで、サービス情報の選択を受け付けないと判定すると（ステップＳ２０７のＮ）、制御部１０は、ここでの処理を終了する。
【００７２】
一方、例えば検索結果表示画面に表示されたサービス情報のうち何れかに対するユーザの選択を受け付けたことにより、サービス情報の選択を受け付けたと判定すると（ステップＳ２０７のＹ）、制御部１０は、選択を受け付けたサービス情報に対応する画像情報を示す画像情報表示画面（以下「アルバム表示画面」という。）を表示して（ステップＳ２０８）、ここでの処理を終了する。
【００７３】
図１１は、アルバム表示画面の例を示す説明図である。図１１に示すように、本例においては、アルバム表示画面には、エリアでグルーピングされた複数の画像情報１１０１〜１１０４が表示される。なお、エリアでの画像情報のグループ化の時機は特に限定されず、例えば、画像情報に基づく行動履歴情報の更新時に付加情報としてエリアが設定される構成としてもよいし、ユーザの指示に応じて画像情報をグループ化して保存しておく構成としてもよい。また、エリアに対応するスポットを表示し、スポットに対応する画像と対応しない画像とを識別可能に表示する構成としてもよい。このような構成とすることにより、ユーザがエリアに行ったときに近くにあったのに見逃してしまったスポットを認識することができるようになる。
【００７４】
なお、メニュー画面において第２ボタン９０２の選択を受け付けた場合、制御部１０は、行動履歴情報記憶部２５に記憶された行動履歴情報を参照し（図５参照）、対応する履歴フラグの全てに「０」が設定されたエリアを特定し、特定したエリアに対応するサービス情報を検索し、検索結果を表示することになる。この場合、表示したサービス情報に対応する画像がないこととなる。そのため、制御部１０は、ユーザによるサービス情報の選択を受け付けた場合（ステップＳ２０７のＹ）、画像情報が無い旨を示す画面をアルバム表示画面として表示することとなる（ステップＳ２０８）。なお、ユーザにより選択されたサービス情報に対応する画像情報が無い場合に、情報検索装置１００が、例えばサービス情報に対応するエリアに近接するエリアに対応する画像情報を関連画像として表示する構成としてもよい。このように構成することによって、ユーザにより選択されたサービス情報について、近接エリアの記憶から関心を引き出すことが期待でき、そのサービス情報の利用を促すことができるようになる。
【００７５】
以上に説明したように、上述した実施の形態では、検索対象となる所定の情報群から施設等のサービス情報を検索する情報検索装置１００が、写真等の画像と当該画像が撮影された場所を示す撮影場所情報とが対応付けされた画像情報を記憶する画像情報記憶部２４を備え、画像情報に基づいて、ユーザの行動履歴を解析し（ステップＳ１０５）、解析した行動履歴に応じてサービス情報を検索し（例えば、ステップＳ２０５）、検索結果を表示する（例えば、ステップＳ２０６）構成としているので、ユーザによるサービス情報の利用頻度を向上させることができるようになる。
【００７６】
すなわち、撮影場所に基づいてユーザの行動履歴を解析することで、従来のものとは異なるアプローチでユーザの趣向に応じたサービス情報を検索することができるようになるので、検索後に提供するサービス情報に対してユーザが興味を抱く可能性を高めることができるようになり、その結果ユーザによるサービス情報の利用頻度を高めることができるようになる。
【００７７】
なお、上述した実施の形態では、写真の撮影からサービス情報の検索結果を表示するまでを一連の処理とする場合について説明したが、情報検索装置１００がこれらの処理をそれぞれ独立して実行する構成とされていてもよい。
【００７８】
また、上述した実施の形態では、画像情報が、ユーザにより入力されたコメントを含む構成としているので、ユーザのコメントを行動履歴の解析に利用することができるようになり、よりユーザの趣向に合致するサービス情報を検索することができるようになる。
【００７９】
なお、上述した実施の形態では特に言及していないが、画像情報に含まれるコメントに料理名や飲食店の名称が含まれる場合、情報検索装置１００が、エリアの代わりにまたはエリアと併せて料理のジャンルまたは店舗を特定し、スポットの代わりにまたはスポットと併せて料理名を特定し、料理のジャンルまたは店舗と料理名とに対応付けされた履歴フラグを更新する構成としてもよい。
【００８０】
また、上述した実施の形態では、情報検索装置１００が、画像を撮影するカメラ装置を備え（図示せず）、該カメラ装置により撮影された画像に撮影場所情報を含む付加情報を対応付けして画像情報記憶部２４に保存する（例えば、ステップＳ１０３）構成としているので、カメラ装置で撮影された画像をユーザが編集する手間を省くことができるようになるので、画像情報の更新頻度を高めることができるようになり、時間の経過に応じてユーザの趣向が変化した場合にも適切に対応することができるようになる。
【００８１】
なお、上述した実施の形態では特に言及していないが、情報検索装置１００が、表示した検索結果（例えば、検索結果表示画面）に含まれるサービス情報の選択を受け付け、選択を受け付けたサービス情報を案内対象物として出発地点からの推奨移動経路を探索し、探索した推奨移動経路を用いて経路案内を行う構成としてもよい。このような構成とすることにより、サービス情報や画像情報の利便性を高めることができるようになる。また、この場合、例えばユーザの移動が停止しているときに、案内対象物としたサービス情報が属するエリアにグルーピングされた画像情報を表示画面に表示する構成としてもよい。なお、情報検索装置１００が、アルバム表示画面（図１１参照）に表示した画像情報の選択を受け付け、経路案内を行う構成としてもよい。
【００８２】
なお、上述した実施の形態では特に言及していないが、出力部４０の一部または全部を、情報検索装置の外部に備える構成としてもよい。
【産業上の利用可能性】
【００８３】
本発明は、所定の情報群より、ユーザが求めている情報の検索が可能なデバイスを扱う業種において産業上有用であり、電子地図上にサービス情報の表示を可能とするカーナビゲーション装置等の電化製品市場においても有用である。
【符号の説明】
【００８４】
１０    制御部
１１    センサ情報処理部
１２    通信処理部
１３    検索部
１４    行動履歴解析部
１５    検索結果表示部
１６    画像情報保存部
２０    記憶部
２１    道路地図情報記憶部
２２    ＰＯＩ情報記憶部
２３    サービス情報記憶部
２４    画像情報記憶部
２５    行動履歴情報記憶部
３０    メモリ
４０    出力部
５０    センサ部
６０    通信部
７０    入力部
８０    画像取得部
１００  情報検索装置
【図１】
2014115881.tif 000003
【図２】
2014115881.tif 000004
【図３】
2014115881.tif 000005
【図４】
2014115881.tif 000006
【図５】
2014115881.tif 000007
【図６】
2014115881.tif 000008
【図７】
2014115881.tif 000009
【図８】
2014115881.tif 000010
【図９】
2014115881.tif 000011
【図１０】
2014115881.tif 000012
【図１１】
2014115881.tif 000013
【手続補正書】
【提出日】平成25年4月15日(2013.4.15)
【手続補正１】
【補正対象書類名】明細書
【補正対象項目名】０００７
【補正方法】変更
【補正の内容】
【０００７】
本発明の情報検索装置は、所定の情報を検索する情報検索装置であって、写真等の画像と当該画像が撮影された場所を示す撮影場所情報とが対応付けされた画像情報を記憶する画像情報記憶手段と、所定の場所に関連するサービス情報と、当該サービス情報に関連する施設の場所が属するエリアとを含むサービス関連情報を記憶するサービス関連情報記憶手段と、ユーザが行ったことのあるエリアを含む行動履歴情報を記憶する行動履歴情報記憶手段と、前記画像情報が示す撮影された場所が属するエリアを参照して、当該エリアをユーザが行ったことのあるエリアとして前記行動履歴情報を更新する行動履歴情報更新手段と、前記行動履歴情報を参照して、ユーザが行ったことのあるエリアを含む前記サービス情報を検索するサービス情報検索手段と、該サービス情報検索手段による検索結果を表示する検索結果表示手段と、該検索結果表示手段によって表示された検索結果に含まれるサービス情報の選択を受け付けるサービス情報選択受付手段と、該サービス情報選択受付手段によって受け付けられたサービス情報に対応するエリアを含む前記画像情報を特定する画像情報特定手段と、該画像情報特定手段によって特定された画像情報を表示する画像情報表示手段とを含むことを特徴とする。
【手続補正２】
【補正対象書類名】明細書
【補正対象項目名】０００９
【補正方法】変更
【補正の内容】
【０００９】
前記サービス情報検索手段は、行動履歴情報を参照して、ユーザが行ったことのないエリアを含む前記サービス情報を検索し、前記画像情報特定手段によって特定可能な前記画像情報が存在しないときに、サービス情報に対応するエリアに近接するエリアを含む前記画像情報を関連画像として表示する関連画像表示手段を含む構成とされていてもよい。
【手続補正３】
【補正対象書類名】明細書
【補正対象項目名】００１２
【補正方法】変更
【補正の内容】
【００１２】
また、本発明の情報検索プログラムは、所定の情報を検索するように情報検索装置に動作制御させるための情報検索プログラムであって、写真等の画像と当該画像が撮影された場所を示す撮影場所情報とが対応付けされた画像情報を記憶する画像情報記憶手段と、所定の場所に関連するサービス情報と、当該サービス情報に関連する施設の場所が属するエリアとを含むサービス関連情報を記憶するサービス関連情報記憶手段と、ユーザが行ったことのあるエリアを含む行動履歴情報を記憶する行動履歴情報記憶手段とを備える前記情報検索装置に、前記画像情報が示す撮影された場所が属するエリアを参照して、当該エリアをユーザが行ったことのあるエリアとして前記行動履歴情報を更新する行動履歴情報更新処理と、前記行動履歴情報を参照して、ユーザが行ったことのあるエリアを含む前記サービス情報を検索するサービス情報検索処理と、該サービス情報検索処理による検索結果を表示する検索結果表示処理と、該検索結果表示処理にて表示した検索結果に含まれるサービス情報の選択を受け付けるサービス情報選択受付処理と、該サービス情報選択受付処理にて受け付けたサービス情報に対応するエリアを含む前記画像情報を特定する画像情報特定処理と、該画像情報特定処理にて特定した画像情報を表示する画像情報表示処理とを実行させるためのものである。
【手続補正４】
【補正対象書類名】特許請求の範囲
【補正対象項目名】全文
【補正方法】変更
【補正の内容】
【特許請求の範囲】
【請求項１】
所定の情報を検索する情報検索装置であって、
写真等の画像と当該画像が撮影された場所を示す撮影場所情報とが対応付けされた画像情報を記憶する画像情報記憶手段と、
所定の場所に関連するサービス情報と、当該サービス情報に関連する施設の場所が属するエリアとを含むサービス関連情報を記憶するサービス関連情報記憶手段と、
ユーザが行ったことのあるエリアを含む行動履歴情報を記憶する行動履歴情報記憶手段と、
前記画像情報が示す撮影された場所が属するエリアを参照して、当該エリアをユーザが行ったことのあるエリアとして前記行動履歴情報を更新する行動履歴情報更新手段と、
前記行動履歴情報を参照して、ユーザが行ったことのあるエリアを含む前記サービス情報を検索するサービス情報検索手段と、
該サービス情報検索手段による検索結果を表示する検索結果表示手段と、
該検索結果表示手段によって表示された検索結果に含まれるサービス情報の選択を受け付けるサービス情報選択受付手段と、
該サービス情報選択受付手段によって受け付けられたサービス情報に対応するエリアを含む前記画像情報を特定する画像情報特定手段と、
該画像情報特定手段によって特定された画像情報を表示する画像情報表示手段とを含む
ことを特徴とする情報検索装置。
【請求項２】
前記サービス情報検索手段は、行動履歴情報を参照して、ユーザが行ったことのないエリアを含む前記サービス情報を検索し、
前記画像情報特定手段によって特定可能な前記画像情報が存在しないときに、サービス情報に対応するエリアに近接するエリアを含む前記画像情報を関連画像として表示する関連画像表示手段を含む
請求項１記載の情報検索装置。
【請求項３】
画像を撮影するカメラ装置を備え、
該カメラ装置により撮影された画像に前記撮影場所情報を含む付加情報を対応付けして前記画像情報記憶手段に保存する画像情報保存手段とを含む
請求項１または請求項２記載の情報検索装置。
【請求項４】
前記検索結果表示手段によって表示された検索結果に含まれるサービス情報の選択を受け付けるサービス情報選択受付手段と、
該サービス情報選択受付手段によって選択が受け付けられたサービス情報を案内対象物として出発地点からの推奨移動経路を探索する経路探索手段と、
該経路探索手段によって探索された推奨移動経路を用いて経路案内を行う経路案内手段とを含む
請求項１から請求項３のうち何れかに記載の情報検索装置。
【請求項５】
所定の情報を検索するように情報検索装置に動作制御させるための情報検索プログラムであって、
写真等の画像と当該画像が撮影された場所を示す撮影場所情報とが対応付けされた画像情報を記憶する画像情報記憶手段と、所定の場所に関連するサービス情報と、当該サービス情報に関連する施設の場所が属するエリアとを含むサービス関連情報を記憶するサービス関連情報記憶手段と、ユーザが行ったことのあるエリアを含む行動履歴情報を記憶する行動履歴情報記憶手段とを備える前記情報検索装置に、
前記画像情報が示す撮影された場所が属するエリアを参照して、当該エリアをユーザが行ったことのあるエリアとして前記行動履歴情報を更新する行動履歴情報更新処理と、
前記行動履歴情報を参照して、ユーザが行ったことのあるエリアを含む前記サービス情報を検索するサービス情報検索処理と、
該サービス情報検索処理による検索結果を表示する検索結果表示処理と、
該検索結果表示処理にて表示した検索結果に含まれるサービス情報の選択を受け付けるサービス情報選択受付処理と、
該サービス情報選択受付処理にて受け付けたサービス情報に対応するエリアを含む前記画像情報を特定する画像情報特定処理と、
該画像情報特定処理にて特定した画像情報を表示する画像情報表示処理とを
実行させるための情報検索プログラム。